(57)【特許請求の範囲】
【請求項１】
内容物の充填空間を区画形成する胴体と、この胴体の上端口部に固定保持されるポンプと、このポンプを作動させて充填空間内の内容物を吸引、加圧、圧縮してその中央部に形成された開孔を通して注出する操作ヘッドと、前記充填空間の底壁を形成するとともに内容物の充填容量が減るにしたがい該充填空間の上部へ向けてスライドする中皿とを備えた注出容器であって、
前記操作ヘッドの外側壁の外面に、その周りに沿い間隔をおいて配置される複数の突部を設け、
前記胴体の上部に、前記操作ヘッドの外側壁を全域にわたって取り囲む内側壁を有し、該胴体に対して直接もしくは間接的に回動可能に保持される環状体を配置し、
前記環状体の内側壁に、前記突部に連係し、該操作ヘッドの周りに沿う前記環状体の回動にて該突部を通した前記操作ヘッドの押し込みと、その初期姿勢への復元動作を一定ストロークのもとに誘導して前記ポンプを作動させるガイドを形成してなり、
前記胴体は、その上端口部に着脱自在に装着可能な筒体を備え、
該筒体は、該胴体の上端口部を取り囲む同心２重の壁部を有する大径筒部と、該大径筒部の上部に一体的につながりその上端で該環状体を回動可能に抜け止め保持する小径筒部を有し、
該小径筒部は、その上端面に、該環状体との接触抵抗を低減するための突起を有することを特徴とする注出容器。
【請求項２】
前記ガイドが、前記突部の上端面に接触するとともに、前記操作ヘッドの周りに沿って上下に向けて周期的に変動しながら周回する波状の摺動端面を備えた無限軌道からなることを特徴とする請求項１に記載した注出容器。
【請求項３】
前記ガイドの摺動端面は、前記突部の側端に当接して、前記環状体の逆向きの回動を防止する１以上のストッパーを有することを特徴とする請求項２に記載した注出容器。
【請求項４】
前記操作ヘッドは、前記開孔が最も低いところに位置する湾曲凹状断面をなす天板と、この天板の縁部に一体連結して該操作ヘッドの外側壁を形成する垂下周壁からなることを特徴とする請求項１〜３のいずれか１項に記載した注出容器。
【発明の詳細な説明】
【技術分野】
【０００１】
本発明は、操作ヘッドを通してそれにつながるポンプを作動させることにより、該操作ヘッドの天板に形成された開孔から内容物を注出する注出容器に関するものである。
【背景技術】
【０００２】
操作ヘッドを押し込むことによりポンプを作動させて容器内の内容物を注出するポンプ付きの注出容器としては、比較的粘性の高いペースト状あるいはクリーム状の内容物の注出を可能とした、例えば、特許文献１に開示された構造からなるものが知られている。
【先行技術文献】
【特許文献】
【０００３】
【特許文献１】特許第３３６９６９９号公報
【０００４】
上記文献に開示された注出容器は、具体的には、筒状をなす容器本体と、この容器本体に気密状態を保持して摺動可能に嵌装される可動底板と、該容器本体の上部を塞ぎその中央に液出口が形成された天板部と、容器本体の内部において可動底板と天板部との間に形成され、そこに内容物を収納する収容部と、天板部の液出口の上方に設けられたポンプ室と、天板部の液出口に設けられた第１逆止弁と、天板部の上側に配され、液出口の外側に同心状に起立する内側案内環および外側案内環と、天板部の上方に配され、容器本体の上部のほぼ全体を覆う大きさにして上下に移動可能に設置された操作部材と、該操作部と連動するピストンおよびスプリング等により構成され、天板部と操作部材との間に配置して該操作部を上方に付勢する付勢部材とを具備したものから構成されるものであって、かかる注出容器によれば、操作部材をスムーズに昇降させることができ、また、収容部内の空気を液出口に集めて該空気を全て排気可能であり、さらに、手の平が痛くなることなしに操作部を押すことができる等の利点があるとされていた。
【０００５】
しかし、近年、この種の容器においては、化粧料や整髪料等、内容物の種類によって定量注出を可能とするものが要望されるようになってきているところ、該注出容器は、一回当たりの注出量が、操作ヘッドの押し込み量に応じて変動することから、一度の操作で、一定量の内容物を確実に注出することは困難であり、かかる要望に対処した注出容器の開発が望まれていた。
【発明の開示】
【発明が解決しようとする課題】
【０００６】
本発明の課題は、操作ヘッドを備えたポンプ付きの注出容器につき、一回の操作で正確に一定量の内容物を注出することができる定量注出型の注出容器を提案するところにある。
【課題を解決するための手段】
【０００７】
本発明は、内容物の充填空間を区画形成する胴体と、この胴体の上端口部に固定保持されるポンプと、このポンプを作動させて充填空間内の内容物を吸引、加圧、圧縮してその中央部に形成された開孔を通して注出する操作ヘッドと、前記充填空間の底壁を形成するとともに内容物の充填容量が減るにしたがい該充填空間の上部へ向けてスライドする中皿とを備えた注出容器であって、前記操作ヘッドの外側壁の外面に、その周りに沿い間隔をおいて配置される複数の突部を設け、前記胴体の上部に、前記操作ヘッドの外側壁を全域にわたって取り囲む内側壁を有し、該胴体に対して直接もしくは間接的に回動可能に保持される環状体を配置し、前記環状体の内側壁に、前記突部に連係し、該操作ヘッドの周りに沿う前記環状体の回動にて該突部を通した前記操作ヘッドの押し込みと、その初期姿勢への復元動作を一定ストロークのもとに誘導して前記ポンプを作動させるガイドを形成してなり、前記胴体は、その上端口部に着脱自在に装着可能な筒体を備え、該筒体は、胴体の上端口部を取り囲む同心２重の壁部を有する大径筒部と、該大径筒部の上部に一体的につながりその上端で該環状体を回動可能に抜け止め保持する小径筒部を有し、該小径筒部は、その上端面に、該環状体との接触抵抗を低減するための突起を有することを特徴とする注出容器である。
【０００８】
上記の構成からなる注出容器においては、
１）ガイドを、突部の上端面に接触し、操作ヘッドの周りに沿って上下に向けて周期的に変動しながら周回する波状の摺動端面を備えた無限軌道にて構成すること、
２）ガイドの摺動端面には、突部の側端に当接して、環状体の逆向きの回動を防止する１以上のストッパーを形成すること、さらに、
３）操作ヘッドとして、開孔が最も低いところに位置する湾曲凹状断面をなす天板と、この天板の縁部に一体連結して該操作ヘッドの外側壁を形成する垂下周壁からなるものを適用すること、が本発明の課題解決のための手段として好ましい。  
【発明の効果】
【０００９】
上記の構成からなる本発明の注出容器によれば、操作ヘッドの外側壁の外面に、その周りに沿って間隔をおいて配置される複数の突部を設ける一方、胴体の上部に、操作ヘッドの外側壁を全域にわたって取り囲む内側壁を有し、該胴体に対して直接もしくは間接的に回動可能に保持される環状体を配置する一方、該環状体の内側壁に、該突部に連係し、該操作ヘッドの周りに沿う環状体の回動にて該突部を通して操作ヘッドの押し込みとその初期姿勢への復帰動作を一定ストロークのものに誘導するガイドを形成したため、操作ヘッドの押し込み量を一定にすることが可能となり、該環状体の回動のみで内容物の定量注出を行うことができる。
【００１０】
本発明に係る注出容器によれば、ガイドとして、前記突部の上端面に接触し、前記操作ヘッドの周りに沿って上下に向けて周期的に変動しながら周回する波状の摺動端面を備えた無限軌道を適用することとしたため、構造の複雑化、部品点数を増やすことなしに操作ヘッドの押し込み量を一定にすることができる。
【００１１】
また、上記の構成からなる本発明の注出容器によれば、ガイドの摺動端面に、突部の側端に当接して、環状体の逆向きへの回動を防止するストッパーを設けたため、該環状体の誤った回動操作によって内容物が注出されることがない。
【００１２】
さらに、本発明の注出容器によれば、操作ヘッドを、開孔が最も低いところに位置する湾曲凹状断面をなす天板と、この天板の縁部に一体連結して該操作ヘッドの外側壁を形成する垂下周壁から構成したため、内容物の注出に際して、該内容物が操作ヘッドからこぼれ落ちることがないうえ、該操作ヘッドを一部材で構成することができる。
【図面の簡単な説明】
【００１３】
【図１】（ａ）（ｂ）は、本発明に従う注出容器の実施の形態を模式的に示した図であり、（ａ）は平面図、（ｂ）は右側半分を断面で示した側面図である。
【図２】図１に示した注出容器の環状体に設けたガイドの展開図である。
【図３】図１に示した注出容器において、操作ヘッドを押し込んだ状態を示した図である。
【図４】（ａ）（ｂ）は本発明に従う注出容器の他の実施の形態を要部について示した図である。
【図５】図１に示した注出容器にカバーを適用した例を示した図である。
【発明を実施するための最良の形態】
【００１４】
以下、図面を参照して本発明をより具体的に説明する。
図１（ａ）（ｂ）は本発明に従う注出容器の実施の形態を模式的に示した図であり、（ａ）は平面図、（ｂ）は側面図である。
【００１５】
図における符号１は、その内側に内容物の充填空間Ｍを形成する筒状の胴体である。この胴体１は、上端口部１ａを有しており、底部には開放端１ｂが形成されている。
【００１６】
２は、胴体１の外周壁の上部に一体連結してその周りを取り囲んで下向きに開放された環状溝ｎを形成する周壁、３は、胴体１の底部に着脱自在に配置される底板である。この底板３は、胴体１の開放端１ｂを塞ぐディスク状の底板本体３ａと、この底板本体３ａの縁部において起立し周壁２の下端にフラット面を形成しつつ着脱自在に係合（ねじ、アンダーカット等）する外側周壁３ｂと、この外側周壁３ｂの内側で起立して環状溝ｎ内に位置する内側周壁３ｃから構成されている。
【００１７】
上記内側周壁３ｃは、環状溝ｎ内で胴体１の外表面を取り囲むように配置されており、その下端内側には、胴体１の下端に設けられた凹部に嵌り込んで該底板３そのものの回動を不能とするリブ３ｄが設けられている。なお、上記の凹部を内側周壁３ｃに設け、リブ３ｄを胴体１に設けることもできる。
【００１８】
また、４は、胴体１の上端口部１ａに配置され、充填空間Ｍを密封状態に保持するための仕切り壁である。この仕切り壁４は、胴体１の上端口部１ａを覆う段付きディスク状の本体部分４ａと、この本体部分４ａの縁部において起立する外側環状体４ｂと、この外側環状体４ｂの内側で該外側環状体４ｂと協働して上向きに開放された環状凹部Ｐを形成する内側環状体４ｃから構成されており、その縁部に設けられたフランジ４ｄが、胴体１の上端口部１ａに位置するようになっている。
【００１９】
５は、胴体１の上端口部１ａに螺合手段によって着脱自在に装着可能な筒体（ベースカバー）である。この筒体５は、仕切り壁４をフランジ４ｄにおいて胴体１の上端口部１ａに挟持して固定保持する機能を有し、胴体１の上端口部１ａを取り囲む同心２重の壁部を有する大径筒部５ａと、この大径筒部５ａの上部に一体的につながり、仕切り壁４の外側環状体４ｂ取り囲んで該外側環状体４ｂに回動不能（リブとこのリブに係合する溝部等が適用される）に連係する小径筒部５ｂから構成されている。なお、小径筒部５ｂの上端面には、後述する環状体との接触抵抗を低減して該環状体のスムーズな回動を導くための複数個の突起が設けられている。
【００２０】
筒体５の大径筒部５ａの内側の壁部には、胴体１の上端口部１ａの外周壁に設けられたねじ部５ａ２に係合するねじ部５ａ１が設けられている。
【００２１】
６は、仕切り壁４の中央部に設けられたポンプである。このポンプ６は、内容物の充填空間Ｍにつながる吸引口６ａを有し、該仕切り壁４ａに一体連結するシリンダ６ｂと、このシリンダ６ｂの内側壁に沿ってスライド可能に配置される環状ピストン（Ｈ型断面をなしている）６ｃと、この環状ピストン６ｃの内側において挿通され、該環状ピストン６ｃとともにスライド可能なスライド部材６ｄと、このスライド部材６ｄの突端（上端）に一体的につながり、その上端部をシリンダ６ｂから突出させて内容物の排出経路を形成する中空ステム６ｅとを備える。
【００２２】
スライド部材６ｄは、その縁部に、環状ピストン６ｃの下端部に形成された環状の凹部ｅに係合可能な環状の係合突起ｆを有し、最下端に位置する底壁部６ｄ１と、この底壁部６ｄ１に一体的につながるとともに、該中空ステム６ｅの内部通路に連通する通路を有する筒状体６ｄ２からなり、その筒状体６ｄ２の周壁には、シリンダ６ｂ内に吸引された内容物を筒状体６ｄ２の通路内へ流通させるための開孔６ｄ３が形成されている。
【００２３】
７は、操作ヘッドである。この操作ヘッド７は、内容物を注出する開孔７ａが最も低いところに位置する湾曲凹状断面をなす天板７ｂと、この天板７ｂの縁部に一体連結して該操作ヘッド７の外側壁を形成する垂下周壁７ｃとを備えている。開孔７ａは、この例では、天板７ｂの中央部に設けた場合について示したが、その設置位置はとくに限定されない。
【００２４】
操作ヘッド７の下面には、開孔７ａを取り囲んでポンプ６の中空ステム６ｅにアンダーカットの如き係合手段にて液密に連係して上記スライド部材６ｄ、中空ステム６ｅと協働して内容物の排出経路を形成する同心２重の筒体７ｄが設けられている。この筒体７ｄの外側の筒体の先端（下端）は、環状ピストン６ｃの溝部に入り込む筒体７ｄ１が形成されており、この筒体７ｄ１とスライド部材６ｄの係合突起ｆとの相互間に環状ピストン６ｃが位置している。そして、環状ピストン６ｃは、その相互間に形成される隙間の範囲において単独でスライドすることができるようになっている。
【００２５】
また、８は操作ヘッド７と仕切り壁４との間に配置され、該操作ヘッド７を押し込み可能に支持するスプリングの如き弾性部材である。操作ヘッド７は、この弾性部材８で支持されることによって初期姿勢に保持されている。
【００２６】
９は、ポンプ６のシリンダ６ｂと、仕切り壁４の内側環状体４ｃとの相互間に形成された凹所に組み込まれた筒状をなす中間部材、１０は、操作ヘッド７の下面に設けられ、該中間部材９に連係して該操作ヘッド７をその軸心оに沿ってスライド可能に保持する筒体である。この筒体１０には、中間部材９の溝部（あるいはリブ）に係合するリブ（あるいは溝部）が設けられていて、操作ヘッド７の軸心оに沿うスライドを許容するが、その回転を阻止するようになっており、この筒体１０によって操作ヘッド７は常に水平に保持され、スムーズなスライドが可能となっている（操作ヘッド７の傾き防止）。
【００２７】
筒体１０としては、操作ヘッド７の回転を防止するとともに、水平状態を維持しつつスムーズなスライドを誘導できるものであれば、その形状についてはとくに限定されない。
【００２８】
１１は、シリンダ６ｂ内に配置され、内容物の吸引時にのみ開放される逆止弁（３点弁等が適用される）、１２は、胴体１の内周壁に沿ってスライド可能に配置され、充填空間Ｍの底部を形成する中皿である。
【００２９】
中皿１２は、内容物の充填容量が減るに従って上部（上端口部１ａ）に向けてスライドするもの（ポンプ６により内容物が吸引されると充填空間Ｍ内は減圧されるため、それに伴って中皿１２は上方へ移動する）であって、これにより、内容物を残らず注出することができるようになっている。中皿１２としては、底壁を形成する皿本体１２ａと、この皿本体１２ａの縁部に一体連結して胴体１の内側壁において摺動する摺動体１２ｂと、該皿本体１２ａの裏側面にて垂下する筒状の脚部１２ｃにて構成することができるが、中皿１２の形状や構造についてはとくに限定されない。
【００３０】
さらに、１３は、操作ヘッド７の外側壁を形成する垂下周壁７ｃの下端部外面に、その周りに沿って等間隔で配置された突部である。この突部１３の設置個数は適宜変更することができる。１４は、筒体５の小径筒部５ｂの上端に、回動可能に抜け止め保持される環状体である。この環状体１４は、操作ヘッド７の外側壁を全域にわたって取り囲む内側壁１４ａを有している。
【００３１】
１５は、環状体１４の内側壁１４ａに設けられ、突部１３に連係するガイドである。このガイド１５は、具体的には、例えば、図２にその展開図を示すように、突部１３の上端面に接触するとともに、操作ヘッド７の周りに沿って上下に向けて周期的に変動しながら周回する波状の摺動端面１５ａを備えた無限軌道にて構成される。環状体１４を回動させて突部１３を無限軌道の摺動端面１５ａに沿わせて摺動させることにより該突部１３の上下の位置が変動し、これに合わせて操作ヘッド７の位置も変動する。摺動端面１５ａは、波状のものを例として示したが、その形状や傾斜角度は適宜変更することができるものであって、図示のものには限定されない。
【００３２】
無限軌道を形成するガイド１５の摺動端面１５ａには、さらに、一定間隔で突部１３の側端に当接して環状体１４の逆向きへの回動を防止するストッパー１５ｂが設けられている。
【００３３】
さらに、図１における符号１６は、操作ヘッド７の開孔７ａに設けられた吐出弁である。この吐出弁１６は、該操作ヘッド７の軸心ｏに沿ってスライド可能に抜け止め保持される弁体、あるいは基部を開孔７ａ内に固定し、該基部に連結する上部の皿状部材を弾性変形可能とする弁体等で構成することができる。この弁体１６は、操作ヘッド７の押し込みによって内容物が注出されるときにのみ開放（圧力上昇によって開放する）し、該操作ヘッド７の押し込みを解除することによって閉塞するものであって、操作ヘッド７の押し込みによって注出された内容物が中空ステム６ｅの内部通路へ引き込まれるのを防止する。
【００３４】
上記の構成からなる注出容器において、操作ヘッド７を押し込んだ状態を図３に示す。
【００３５】
上掲図１、２に示した注出容器は、無限軌道を形成するガイド１５の摺動端面１５ａのＡ部（図２参照）に突部１３が位置しているとき、操作ヘッド７は、初期姿勢（上死点に位置する）にあり、該突部１３が摺動端面１５ａのＢ部に位置しているとき、図３に示すように、操作ヘッド７が最も押し込まれた状態にあり、Ａ部からＢ部に至るまでの寸法Ｌ（図２参照）の摺動にて一定のストロークｈを確保する。
【００３６】
ここに、環状体１４を、該環状体１４の天面に設けられた指標（矢印等）１４ｂに従って回動させ、突部１３をガイド１５の摺動端面１５ａに沿ってＡ部からＢ部に向けて摺動させると、操作ヘッド７は、突部１３を通して押し下げられる。
【００３７】
該操作ヘッド７が押し下げられると、これにつながる中空ステム６ｅ、スライド部材６ｄ、環状ピストン６ｃは、シリンダ６ｂ内でその底部へ向けて移動し、これに伴いシリンダ６ｂ内の圧力が上昇し、該シリンダ６ｂ内に存在する内容物は、加圧、圧縮されることとなる（ポンプ６の作動、図３参照）。
【００３８】
シリンダ６ｂ内で加圧、圧縮された内容物は、環状ピストン６ｃとスライド部材６ｄの係合突起ｆとの間に形成された隙間、開孔６ｄ３、スライド部材６ｄ内の通路、中空ステム６ｅの内部通路を通って開孔７ａから操作ヘッド７の天板７ｂ上へと一定量だけ注出される。
【００３９】
環状体１４をさらに回動させると、突部１３は、ガイド１５の摺動端面１５ａのＡ部に位置することとなり、ここで、操作ヘッド７に付加された押圧力は解除され、弾性部材８の付勢力により、該操作ヘッド７は、図１に示すような初期姿勢へと復元する。
【００４０】
このとき、環状ピストン６ｃ、スライド部材６ｄ、中空ステム６ｅは、操作ヘッド７とともにシリンダ６ｂの上部へ向けて移動し、これに伴いシリンダ６ｂ内が減圧される。
【００４１】
シリンダ６ｂ内が減圧されると、逆止弁１１が開放され、充填空間Ｍ内の内容物は吸引口６ａを通してシリンダ６ｂ内に吸引される。内容物の吸引は、操作ヘッド７が初期姿勢に復元するまで継続して行われるが、この際、スライド部材６ｄの係合突起ｆは、環状ピストン６ｃの下端部に形成された凹部ｅに係合（図１（ｂ）参照）し、吸引にかかる内容物が、開孔６ｄ３を通してスライド部材６ｄの通路へ流れ込むことがない。
【００４２】
上述したように、本発明に従う注出容器は、環状体１４を例えば指標１４ｂに従って一方向に回動させるだけの簡単な操作で、操作ヘッド７を一定のストロークｈで押し込むことができるため、手指を使って操作ヘッド７を直に押圧することなしに内容物の定量注出が可能となる。
【００４３】
環状体１４は、この実施の形態では、一部材からなるものを例として示したが、その断面を一部拡大して図４（ａ）（ｂ）に示すように、ガイド１５が形成された内側部材１４ｃと、この内側部材１４ｃを保持する外側部材１４ｄにて構成することもできる。
【００４４】
環状体１４を内側部材１４ｃと外側部材１４ｄとで構成するには、図４（ａ）に示すように、インサート成型や２色成型により相互に一体化を図ってもよいし、図４（ｂ）に示すようにアンダーカット等の係合手段によって機械的に組み合わせるものであってもよく、この点については、とくに限定されない。
【００４５】
環状体１４を回動可能に保持する筒体５の小径筒部５ｂの外側壁には、ねじ部１７を設けることができる。そして、図５に示すように、このねじ部１７に係合可能とするカバー１８を設けることで、操作ヘッド７の不用意な押し込みを防止するとともに、操作ヘッド７の天板７ｂへのごみ、塵の付着を回避することが可能となる。なお、前記カバー１８は、アンダーカット等の係合手段を採用してもよい。
【産業上の利用可能性】
【００４６】
操作ヘッドの押し込み量を常に一定にして内容物の定量注出を可能とした注出容器が提供できる。
【符号の説明】
【００４７】
１      胴体  
１ａ    上端口部
１ｂ    開放端
２      周壁
３      底板
３ａ    底板本体
３ｂ    外側周壁
３ｃ    内側周壁
４      仕切り壁
５      筒体
５ａ    大径筒部
５ｂ    小径筒部
６      ポンプ
６ａ    吸引口
６ｂ    シリンダ
６ｃ    環状ピストン
６ｄ    スライド部材
６ｅ    中空ステム
７      操作ヘッド
７ａ    開孔
７ｂ    天板
７ｃ    垂下周壁
７ｄ    筒体
８      弾性部材
９      中間部材
１０    筒体
１１    逆止弁
１２    中皿
１２ａ  中皿本体
１２ｂ  摺動体
１２ｃ  脚部
１３    突部
１４    環状体
１４ａ  内側壁
１４ｂ  指標
１５    ガイド
１５ａ  摺動端面
１６    弁体
１７    ねじ部
１８    カバー
ｎ      環状溝部
Ｍ      充填空間
о      軸心
【図１】
0006027327.tif 000002
【図２】
0006027327.tif 000003
【図３】
0006027327.tif 000004
【図４】
0006027327.tif 000005
【図５】
0006027327.tif 000006